(57)【要約】【課題】スクリーンを引き出すことにより、捩りコイルスプリング等の蓄勢手段に回転を蓄勢させ、その蓄勢力によりスクリーンを巻取ローラに巻き込ませることのできるロールブラインドの巻き強さ調整装置を提供する。【解決手段】ブラケットには、固定軸の一端を回転不能に嵌合する軸受部を有し、コイルスプリングの巻きトルクを受ける調節軸を設け、前記調節軸には、ブラケットベースに対して直接係合する係合手段を備え、調節軸を回転させることによってコイルスプリングの巻き強さを調整可能とし、係合手段は、突片部に設けた係止突起と、係止突起が係合するブラケットベースの端部とから構成され、係止突起を設けている突片部は、ブラケットベースの端部から離れる方向に弾性変形が可能で、この突片部の弾性変形を利用して、ブラケットベースの端部と係止突起の係合と、係合の解除を行う。【選択図】図６
2006161414.tif 000002
【特許請求の範囲】
【請求項１】
一対のブラケットのそれぞれに回転不能に取り付けられる一対の固定軸と、前記一対の固定軸に両端が回転自在に支持されるスクリーン巻き取り用の巻取ローラと、一端側が前記固定軸に係止され、他端側が前記巻取ローラに係止されてスクリーン巻き上げ動力として用いられるコイルスプリングとを備えたロールブラインドであって、前記ブラケットには、固定軸の一端を回転不能に嵌合する軸受部を有し、コイルスプリングの巻きトルクを受ける調節軸を設け、前記調節軸には、ブラケットベースに対して直接係合する係合手段を備え、調節軸を回転させることによってコイルスプリングの巻き強さを調整可能とし、係合手段は、突片部に設けた係止突起と、係止突起が係合するブラケットベースの端部とから構成され、係止突起を設けている突片部は、ブラケットベースの端部から離れる方向に弾性変形が可能で、この突片部の弾性変形を利用して、ブラケットベースの端部と係止突起の係合と、係合の解除を行うことを特徴としたロールブラインドの巻き強さ調整装置。
【請求項２】
前記ブラケットベースは、ブラケットベースの端部に係合孔部を設けて形成し、前記係止突起を、係合孔部に係合させる請求項１に記載のロールブラインドの巻き強さ調整装置。
【請求項３】
前記係止突起は、軸方向に突出するように形成し、ブラケットベースの上半部の端部には係合可能であり、かつ、ブラケットベースの下半部には係合不能な位置に設けられている請求項１または２に記載のロールブラインドの巻き強さ調整装置。
【請求項４】
前記突片部は、ブラケットベースを挟んで軸受部と対向するように形成し、前記係止突起は、軸受部側に向けて突出させ、ブラケットベースの端部と係合可能である請求項１乃至３のいずれかに記載のロールブラインドの巻き強さ調整装置。
【発明の詳細な説明】
【技術分野】
【０００１】
本発明は、スクリーンを引き出すことにより、捩りコイルスプリング等の蓄勢手段に回転を蓄勢させ、その蓄勢力によりスクリーンを巻取ローラに巻き込ませることのできるロールブラインドの巻き強さ調整装置に関するものである。
【背景技術】
【０００２】
従来より、この種のロールブラインドを取り付ける方式として、種々の機構のものが提案されている。
【０００３】
例えば、特許文献１には、取付金具に対し回転可能に調節軸及びワインドプラグを支持し、調節軸とワインドプラグとに係合するクラッチスプリングを備え、クラッチスプリングは調節軸を回転させる時、ワインドプラグと共に回転可能で、巻きバネの巻取方向の回転によってはワインドプラグから調節軸を回転させることが不能となるように作用するものが開示されている。
【０００４】
また、特許文献２には、取付金具の部品を共通化する技術が開示されている。
【０００５】
さらに、特許文献３には、クラッチスプリングに外筒部材を係止または回転可能に選択できる構成が開示されている。
【０００６】
この他にも、従来におけるコイルスプリングの巻き強さ、すなわち巻きトルクを調整する手段としては、巻取ローラ支持側において、ベース、雄雌の嵌合部、バネの４部材を使用して２箇所のストッパー溝によって係止されるように構成された技術がある。
【特許文献１】実公平６−１７９９５号公報
【特許文献２】実開平２−１０３４９９号公報
【特許文献３】実開昭６２−２３９９６号公報
【発明の開示】
【発明が解決しようとする課題】
【０００７】
しかし、特許文献１では、クラッチスプリングの強度等を確保する上である程度の直径を必要とし、また、必要部品点数も多くなる弊害が生じていた。また、特許文献２・特許文献３では、係合、解除を行うための係合溝とバネが必要で、係合溝は筒状の部材の円周面に対して係合する形状であるため、部品点数が多くなり、取付金具全体の厚みが大きくなってしまう弊害が生じていた。
【０００８】
さらに、従来のコイルスプリングの巻き強さ調整手段においても、部品点数が多く、ブラケット内部でかなりのスペースが占有されてしまい、コイルスプリングの巻き強さ調整手段をブラケット内にコンパクトに収めることができない等の問題点を有していた。
【０００９】
そこで、本発明は如上のような従来存した諸事情に鑑み創出されたもので、壁面の幅員に対応してロールブラインドを取り付ける際の取付自由度を向上させ、小さい直径の巻取パイプに対応できると共に、ブラケットベースに回転可能な調節軸を取り付けて、コイルスプリングの巻き強さ調整機構をブラケット内にコンパクトに収められるようにしたロールブラインドの巻き強さ調整装置を提供することを目的とする。
【課題を解決するための手段】
【００１０】
本発明にあっては、一対のブラケットのそれぞれに回転不能に取り付けられる一対の固定軸と、前記一対の固定軸に両端が回転自在に支持されるスクリーン巻き取り用の巻取ローラと、一端側が前記固定軸に係止され、他端側が前記巻取ローラに係止されてスクリーン巻き上げ動力として用いられるコイルスプリングとを備えたロールブラインドであって、前記ブラケットには、固定軸の一端を回転不能に嵌合する軸受部を有し、コイルスプリングの巻きトルクを受ける調節軸を設け、前記調節軸には、ブラケットベースに対して直接係合する係合手段を備え、調節軸を回転させることによってコイルスプリングの巻き強さを調整可能とし、係合手段は、突片部に設けた係止突起と、係止突起が係合するブラケットベースの端部とから構成され、係止突起を設けている突片部は、ブラケットベースの端部から離れる方向に弾性変形が可能で、この突片部の弾性変形を利用して、ブラケットベースの端部と係止突起の係合と、係合の解除を行うことで、上述した課題を解決した。
【００１１】
また、前記ブラケットベースは、ブラケットベースの端部に係合孔部を設けて形成し、前記係止突起を、係合孔部に係合させることで、同じく上述した課題を解決した。
【００１２】
さらに、前記係止突起は、軸方向に突出するように形成し、ブラケットベースの上半部の端部には係合可能であり、かつ、ブラケットベースの下半部には係合不能な位置に設けられていることで、同じく上述した課題を解決した。
【００１３】
また、前記突片部は、ブラケットベースを挟んで軸受部と対向するように形成し、前記係止突起は、軸受部側に向けて突出させ、ブラケットベースの端部と係合可能であることで、同じく上述した課題を解決した。
【発明の効果】
【００１４】
本発明は、以上のように構成されているため、壁面の幅員に対応してロールブラインドを取り付ける際の取付自由度を向上させることができる。また、ブラケットベースに回転可能な調節軸を取り付けて、コイルスプリングの巻き強さ調整機構をブラケット内にコンパクトに収めることができる。
【発明を実施するための最良の形態】
【００１５】
以下に、本発明を実施するための最良の形態を、図面を参照して説明する。本発明に係るロールブラインドの巻き強さ調整装置は、図１（ｂ）・（ｃ）に示すように、スクリーンＰを引き出して任意の位置でスクリーンＰを固定でき、且つ引き出されているスクリーンＰをさらに若干引き出して固定を解除し、スクリーンＰを巻取ローラ２に巻き込ませることのできるロールブラインド１に備えられている。
【００１６】
ロールブラインド１を天井面に取り付ける場合には、例えば、図１（ａ）・（ｂ）に示すように、レール取付ブラケットＳを天井面に木ネジ等で固定し、レール取付ブラケットＳにレールバーＲを係合させる。
【００１７】
このロールブラインド１は、一対のブラケットＱによって壁面の角部、若しくは、ガラスやサッシ等の取付面に取り付けられるものである。具体的には、図２に示すように、取付面がガラスやサッシ等である場合には、雄、若しくは、雌の面ファスナー２０ａを取付面に両面テープ２１を介して固定しておき、前記ブラケットＱは、レールバーＲの開口部にスライド可能に取り付けた矩形板状の少なくとも一対のホルダー１６を介して固定されるものである。このホルダー１６は、面ファスナー２０ｂを取着可能なベース１６Ｂと、ベース１６Ｂの背面に突出させた係合部１６Ｃと、ベース１６Ｂの下辺側中央に突出させた細帯突起状の係止用当接部１６Ｄとから形成されている。
【００１８】
ホルダー１６の面ファスナー２０ｂをガラスに取着された面ファスナー２０ａに接合すると、スクリーンＰ及び巻取ローラ２の重さとスクリーンＰを引っ張る力によりレールバーＲ及びホルダー１６に対し、図２に示す矢印Ａ方向のトルクが作用するため、面ファスナー２０ａ・２０ｂの接合を分離するように作用するが、そのトルクを係止用当接部１６Ａと取付面との接触により係止用当接部１６Ａが受けるため、ホルダー１６自体の取付面からの剥離離脱を防止している。尚、両面テープ２１に対応するガラス面の反対面側には、熱反射板２２が付設され、温度の過度上昇による接着力の低下を防止している。
【００１９】
また、図３（ａ）・（ｂ）、図４（ａ）・（ｂ）に示すように、ブラケットＱは、スライド微調整用のガイド筒部２５、ネジ止め調整部２３それぞれによって伸縮自在にして取付面に固定されるテンションバー２４の左右両端に固着されたブラケット取付部材２８を介して支持される構成としても良い。このとき、テンションバー２４の突っ張り力によって、左右のブラケット取付部材２８が壁面角部に圧接するものである。ブラケット取付部材２８は、図３（ｂ）に示すように、取付面Ｒ１・Ｒ２を備え、正面にも下面にも取付可能である。また、突片Ｒ３は、図３（ａ）に示すように、ブラケット取付部材２８の傾きを防止している。
【００２０】
さらに、テンションバー２４は、大径パイプ２４Ａの一端開口側にスライド微調整用のガイド筒部２５を介して小径パイプ２４Ｂが伸縮スライド自在に挿入して構成される。すなわち、ガイド筒部２５は、大径パイプ２４Ａを内側にスライド可能に挿入させるよう、一端に保持パイプ部２５Ａを固着し、ガイド筒部２５の内周には、小径パイプ２４Ｂ外周に形成された雄ネジ溝に螺合するよう雌ネジ溝を形成してある。こうして、ガイド筒部２５を回転させたときのネジピッチに従って大径パイプ２４Ａに対し小径パイプ２４Ｂを引き出させ、壁面に対しテンションバー２４を突っ張り固定させるのである。
【００２１】
また、前記ネジ止め調整部２３は、テンションバー２４を予め壁面に仮止め保持させておくものであり、この仮止め後に前記スライド微調整用のガイド筒部２５の回転操作でもってテンションバー２４を壁面に強制的に突っ張り固定させる。このネジ止め調整部２３は、ガイド筒部２５の一端に形成された保持パイプ部２５Ａの開口端部において大径パイプ２４Ａを断面略Ｃリング状の挟持部２６によって貫挿した状態で固着され、挟持部２６を締付ネジ部２７のねじ込みによって縮径方向に圧搾させて大径パイプ２４Ａに密着保持させるようにしてある。
【００２２】
ロールブラインド１に配置された一対のブラケットＱ間には、中空パイプ状の巻取ローラ２が回転可能に支持されている。すなわち、巻取ローラ２の一端は、当該巻取ローラ２の内部に内挿された状態で、一方のブラケットＱに嵌着固定された角棒状の固定軸３に回転可能に支持され、巻取ローラ２の他端は、他方のブラケットＱに回転可能に支持される。そして、この巻取ローラ２には、スクリーンＰが巻着されている。
【００２３】
前記巻取ローラ２内には、図５（ａ）・（ｂ）に示すように、コイルスプリング１５が配設され、そのコイルスプリング１５の一端は固定軸３に固定され、他端は巻取ローラ２に固定されている。この巻取ローラ２がスクリーンＰの引き出し方向に回転されると、コイルスプリング１５が蓄勢され、この蓄勢力によって巻取ローラ２がスクリーンＰの巻き込み方向に回転駆動されるようになっている。
【００２４】
図５（ａ）・（ｂ）に示すように、コイルスプリング１５の一端はインナーコア１１に固定され、インナーコア１１はネジ３７により固定軸３に固定され、コイルスプリング１５の他端は固定軸３に固定されている。
【００２５】
巻取ローラ２の一端内部には、図５（ａ）に示すように、当該巻取ローラ２と同軸一体回転する筒状のローテーター４が嵌着固定され、ローテーター４の内部には、ステーター５が配設されている。ステーター５の一端には、ブラケットＱに固定するための角柱部１７が形成され、ステーター５の他端には、軸嵌合部１８が形成され、そこに固定軸３が嵌入され、固定軸３とステーター５とは、回転不能に嵌着されている。また、角柱部１７の隣には軸受部１９が形成され、ローテーター４はステーター５に対し回転可能に支持される。
【００２６】
そして、ローテーター４とステーター５の間には、互いに巻取ローラ２と一体に回転する第１のクラッチホルダー６と第２のクラッチホルダー７を配設し、両ホルダー６，７の間には、ステーター５に形成されたクラッチカム溝８に一端側が係合し、他端側を自由端としたクラッチバネ９が内挿されている。クラッチカム溝８には、図示しないクラッチバネ９の一端側を係止可能な係止溝と、係止不能な引上溝が形成され、引き上げ方向の回転を規制、或るいは、規制しない状態とを選択可能となっている。そのため、引き出されたスクリーンＰを任意の位置でロックさせ、且つ引き出されているスクリーンＰをさらに若干引き出してロックを解除させ、巻取ローラ２にスクリーンＰを巻き込ませることができる。
【００２７】
図６に示すように、ブラケットＱは、ブラケットベース３２と調節軸３６とを備え、調節軸３６は、ブラケットベース３２に対し回転可能で、軸方向に移動不能に係合している。調節軸３６には、図６（ａ）に示すように、角柱状に形成された固定軸３の一端を嵌合するための軸受部３１を形成してあり、この調節軸３６を正逆いずれかに回転させることによって、巻取ローラ２内のコイルスプリング１５の巻き強さ、すなわち巻きトルクを任意に調整できるようにしてある。例えば、スクリーンＰの巻き上げ方向に調節軸３６を回転させると、巻きトルクが大きくなる。一方、スクリーンＰの引き出し方向に調節軸３６を回転させると、巻きトルクが小さくなる。
【００２８】
ブラケットＱは、コイルスプリング１５の巻きトルクを受けて、ブラケットベース３２に対して直接係合する係合手段を備えている。係合手段は、図６（ｂ）・（ｃ）・（ｄ）に示すように、ブラケットベース３２に係合板３８を回転可能に取り付け、正逆いずれかに回転させた係合板３８を、その回転位置に保持するものである。この係合板３８は、調節軸３６と一体的に結合している。係合手段は、係合板３８の突片部３５に設けた係止突起３３と、係止突起３３が係合するブラケットベース３２の端部とから構成されている。具体的には、ブラケットベース３２に対して当該ブラケットＱの回転中心に対し、角度が約９０°離れた左右対称位置に、突片部３５を介して軸受部３１側に向けて１対の係止突起３３を突設し、係止突起３３のいずれか１つを、ブラケットベース３２の左右いずれかの上半部の周縁に係止させることにより、調節軸３６の巻きトルクに任せた回転が阻止されるようにしている。
【００２９】
そして、係止突起３３を設けている突片部３５は、薄板状に形成され、ブラケットベース３２の端部から離れる方向に弾性変形が可能である。この弾性変形は、少なくとも係止突起３３の高さとブラケットベース３２の厚みを加えた幅の変形を伴うものである。そして、突片部３５を弾性変形させた状態で、ブラケットベース３２の端部と係止突起３３の係合と、係合の解除が可能である。尚、係止突起３３は、ブラケットベース３２の上半部の周縁にのみ係合可能であり、下半部の周縁には係合不能な長さだけ調節軸３６の回転中心から離れた位置に形成される。従って、手指で突片部３５を矢印Ｂ方向（図６（ａ）参照）に押しながら、調節軸３６を回転させることにより、固定軸３を回転させ、コイルスプリング１５の付勢回転量を４５°若しくは２７０°毎に変更可能である。
【００３０】
他の実施例として、図７（ａ）に示すように、ブラケットベース３２の端部に係合孔部３４を設け、係合板３８の突片部３５に設けた係止突起３３を、係合孔部３４に係合させても良い。
【００３１】
また、係合板３８から径方向へ延設した突片部３５に、軸方向に突設した単数の係止突起３３を設け、ブラケットベース３２の左右何れかの角部、若しくは、ブラケットベース３２の内面における略中央に形成された係合孔部３４に係合させても良い。
【００３２】
さらに、図７（ｂ）に示すように、ブラケットベース３２に対して係合板３８を回転可能に取り付け、係合板３８の周辺に角度が９０°の間隔毎に延びた突片部３５を介して突設した４つの係止突起３３のうちのいずれかを、ブラケットベース３２の周縁に係合させても良い。
【００３３】
次に、以上のように構成された本発明の最良の形態について、使用・取付の一例を説明する。レールバーＲの取付面がガラスやサッシ等である場合には、図２に示すように、面ファスナー２０ａを取付面に両面テープ２１を介して固定しておき、前記ブラケットＱは、レールバーＲの開口部にスライド可能に取り付けた矩形板状の少なくとも一対のホルダー１６を介して固定される。
【００３４】
また、図３に示すように、テンションバー２４の突っ張り力によって左右のブラケット取付部材２８を壁面角部に圧接する場合には、ネジ止め調整部２３によって、テンションバー２４を予め壁面に仮止めして保持させておき、この仮止め後にスライド微調整用のガイド筒部２５の回転操作でもってテンションバー２４を壁面に強制的に突っ張り固定させる。そして、テンションバー２４の左右両端に固着されたブラケット取付部材２８にレール取付ブラケットＳをビスで螺着し、レール取付ブラケットＳをレールに嵌合し、レールバーＲを支持する。
【００３５】
さらに、調節軸３６の軸受部３１の方向を正逆いずれかに回転させることによって、巻取ローラ２内のコイルスプリング１５の巻き強さを調整する。このとき、正逆いずれかに回転させた調節軸３６の軸受部３１をこの回転位置に保持する場合には、例えば、図６（ｄ）に示すように、調節軸３６と結合している係合板３８の左右対称位置に、突片部３５を介して内側へ向けて１対の係止突起３３を突設し、係止突起３３のうちのいずれか１つを、ブラケットベース３２の左右いずれかの角部、若しくは、ブラケットベース３２に設けた係合孔部３４に係合させておく。
【産業上の利用可能性】
【００３６】
本発明は、巻き強さ調整装置をコンパクトなものとし、特に、小型のロールブラインドの巻き強さ調整装置として、広い分野で利用できるものである。
【図面の簡単な説明】
【００３７】
【図１】本発明を実施するための最良の形態におけるロールブラインドの使用状態を示すもので、（ａ）は平面図、（ｂ）は正面図、（ｃ）は側面図である。
【図２】ガラス、サッシ等へのロールブラインドの組付状態を示す断面図である。
【図３】テンションバーを示すもので、（ａ）は平面図、（ｂ）は正面図である。
【図４】テンションバーを示すもので、（ａ）は上方向から見た一部切欠断面図、（ｂ）は正面方向から見た一部切欠断面図である。
【図５】巻取ローラの内部構成を示すもので、（ａ）は巻取ローラの一端側の断面図、（ｂ）は巻取ローラの他端側の断面図である。
【図６】ブラケットのコイルスプリングの巻き強さ調整の機構を示すもので、（ａ）は一部切欠断面図、（ｂ）はブラケットの正面図、（ｃ）はブラケットの回転前の一部切欠斜視図、（ｄ）はブラケットの回転後の一部切欠斜視図である。
【図７】ブラケットのコイルスプリングの巻き強さ調整の機構の他例を示すもので、（ａ）は単数の係止突起を備えた場合の一部切欠斜視図、（ｂ）は４つの係止突起を備えた場合の一部切欠斜視図である。
【符号の説明】
【００３８】
Ｐ…スクリーン                  Ｑ…ブラケット
Ｒ…レールバー                  Ｒ１…取付面
Ｒ２…取付面                    Ｒ３…突片
Ｓ…レール取付ブラケット
１…ロールブラインド            ２…巻取ローラ
３…固定軸                      ４…ローテーター
５…ステーター                  ６…第１のクラッチホルダー
７…第２のクラッチホルダー      ８…クラッチカム溝
９…クラッチバネ
１１…インナーコア              １５…コイルスプリング
１６…ホルダー                  １６Ａ…係止用当接部
１６Ｂ…ベース                  １６Ｃ…係合部
１６Ｄ…係止用当接部
１７…角柱部                    １８…軸嵌合部
１９…軸受部                  
２０ａ…面ファスナー            ２０ｂ…面ファスナー
２１…両面テープ                ２２…熱反射板
２３…ネジ止め調整部            ２４…テンションバー
２４Ａ…大径パイプ              ２４Ｂ…小径パイプ
２５…ガイド筒部                ２５Ａ…保持パイプ部
２６…挟持部                    ２７…締付ネジ部
２８…ブラケット取付部材        ３１…軸受部
３２…ブラケットベース          ３３…係止突起
３４…係合孔部                  ３５…突片部
３６…調節軸                    ３７…ネジ
３８…係合板
【図１】
2006161414.tif 000003
【図２】
2006161414.tif 000004
【図３】
2006161414.tif 000005
【図４】
2006161414.tif 000006
【図５】
2006161414.tif 000007
【図６】
2006161414.tif 000008
【図７】
2006161414.tif 000009